(57)【要約】【課題】簡単な構成で、発電面内全域にわたって温度分布を均一化することができ、発電性能の向上を図ることを可能にする。【解決手段】燃料電池１０は、電解質膜・電極構造体１２と第１金属セパレータ１４及び第２金属セパレータ１６とを備える。一方の燃料電池１０を構成する第１金属セパレータ１４と、他方の燃料電池１０を構成する第２金属セパレータ１６とは、互いに隣接し、これらの間に冷却媒体流路３８が形成される。冷却媒体流路３８は、波状凸部３０ａ、３４ａの裏面側の溝形状部３０ｂ、３４ｂの重なり部位を、冷却媒体の流れに沿って連結した冷却媒体傾斜流路群５６を有する。冷却媒体傾斜流路群５６は、下流が冷却媒体流路３８の下流端部中央５８に連なり且つ上流が連結通路６０を介して冷却媒体供給連通孔２２ａに連なる冷却媒体傾斜流路群５６を有する。【選択図】図１
2011113725.tif 000002
【特許請求の範囲】
【請求項１】
電解質の両側に一対の電極が設けられる電解質・電極構造体と長方形状の金属セパレータとが積層され、前記金属セパレータの長手方向一端部に使用前の燃料ガス及び酸化剤ガスを積層方向に流通させる燃料ガス供給連通孔及び酸化剤ガス供給連通孔が形成される一方、前記金属セパレータの長手方向他端部に使用後の前記燃料ガス及び前記酸化剤ガスを積層方向に流通させる燃料ガス排出連通孔及び酸化剤ガス排出連通孔が形成され、さらに前記金属セパレータの短手方向両端部には、前記燃料ガス供給連通孔及び前記酸化剤ガス供給連通孔に近接して使用前の冷却媒体を積層方向に流通させる一対の冷却媒体供給連通孔と、前記燃料ガス排出連通孔及び前記酸化剤ガス排出連通孔に近接して使用後の前記冷却媒体を積層方向に流通させる一対の冷却媒体排出連通孔とが形成される燃料電池であって、
一方の前記電極に向かう前記金属セパレータの面には、前記燃料ガス供給連通孔及び前記燃料ガス排出連通孔を連通して前記長手方向に延在する波形状の燃料ガス流路が設けられ、
他方の前記電極に向かう前記金属セパレータの面には、前記酸化剤ガス供給連通孔及び前記酸化剤ガス排出連通孔を連通して前記長手方向に延在する波形状の酸化剤ガス流路が設けられ、
互いに隣接する前記金属セパレータ間には、前記燃料ガス流路の裏面側に形成された溝形状部と、前記酸化剤ガス流路の裏面側に形成された溝形状部とにより、前記冷却媒体を流通させる冷却媒体流路が形成されるとともに、
前記冷却媒体流路は、互いに対向する前記溝形状部の重なり部位を、前記長手方向に対して内方に傾斜する前記冷却媒体の流れに沿って連結した冷却媒体傾斜流路群を有し、
前記冷却媒体傾斜流路群は、下流が前記冷却媒体流路の下流端部中央に連なり且つ上流が前記冷却媒体供給連通孔に連なる冷却媒体傾斜流路を有することを特徴とする燃料電池。
【請求項２】
請求項１記載の燃料電池において、前記冷却媒体流路は、一対の前記冷却媒体供給連通孔から互いに前記短手方向の内方に前記冷却媒体を導入した後、前記長手方向に流通させ、さらに互いに前記短手方向の外方に前記冷却媒体を導出して一対の前記冷却媒体排出連通孔に排出する流れ形状を有することを特徴とする燃料電池。
【請求項３】
請求項１又は２記載の燃料電池において、前記溝形状部は、波形状を有するとともに、
前記波形状の一方の傾斜方向は、前記冷却媒体傾斜流路の流れ方向に一致又は平行することを特徴とする燃料電池。
【発明の詳細な説明】
【技術分野】
【０００１】
本発明は、電解質の両側に一対の電極が設けられる電解質・電極構造体と金属セパレータとが積層されるとともに、互いに隣接する前記金属セパレータ間には、積層方向に沿って冷却媒体を流通させる冷却媒体流路が形成される燃料電池に関する。
【背景技術】
【０００２】
例えば、固体高分子型燃料電池は、高分子イオン交換膜からなる電解質膜の両側に、それぞれアノード側電極及びカソード側電極を配設した電解質膜・電極構造体（ＭＥＡ）を、一対のセパレータによって挟持した単位セルを備えている。この種の燃料電池は、通常、所定の数の単位セルを積層することにより、車載用燃料電池スタックとして使用されている。
【０００３】
上記の燃料電池では、一方のセパレータの面内に、アノード側電極に対向して燃料ガスを流すための燃料ガス流路が設けられるとともに、他方のセパレータの面内に、カソード側電極に対向して酸化剤ガスを流すための酸化剤ガス流路が設けられている。さらに、各燃料電池を構成し、互いに隣接するセパレータ間には、電極範囲内に冷却媒体を流すための冷却媒体流路が形成されている。
【０００４】
セパレータとしては、特に薄肉化が容易に図られることから、カーボンセパレータに代えて金属セパレータが採用される場合がある。その際、薄板金属製のプレートには、プレス成形が施されて波形状の流路溝が形成されている。そして、この流路溝が、燃料ガス流路又は酸化剤ガス流路に選択的されることにより、アノード側セパレータ又はカソード側セパレータが構成されている。
【０００５】
一方、互いに隣接するアノード側セパレータとカソード側セパレータとの間には、燃料ガス流路の裏面形状と酸化剤ガス流路の裏面形状とが重なり合って、冷却媒体流路が形成されている。
【０００６】
この種の燃料電池として、例えば、特許文献１に開示されている燃料電池スタックが知られている。この燃料電池スタックは、図７に示すように、単位セル１を備えるとともに、前記単位セル１は、膜電極構造体２の両面にセパレータ３、４が配置されている。
【０００７】
単位セル１の長手方向上端部には、燃料ガス供給口５ａ及び酸化剤ガス供給口６ａが積層方向に貫通して設けられるとともに、前記単位セル１の長手方向下端部には、燃料ガス排出口５ｂ及び酸化剤ガス排出口６ｂが、積層方向に貫通形成されている。単位セル１の短手方向両端部には、それぞれ４つの冷却水供給口７ａと、冷却水排出口７ｂとが鉛直方向に配列されている。
【０００８】
セパレータ３の膜電極構造体２に対向する面には、燃料ガス供給口５ａと燃料ガス排出口５ｂとに連通し、長手方向に延在する波状の複数の燃料ガス流路８ａが形成されている。セパレータ４の膜電極構造体２に対抗する面には、酸化剤ガス供給口６ａと酸化剤ガス排出口６ｂとに連通し、長手方向に延在する波状の複数の酸化剤ガス流路９ａが形成されている。
【０００９】
単位セル１同士が積層されることにより、一方の単位セル１を構成するセパレータ３と、他方の単位セル１を構成するセパレータ４との間には、冷却水流路が形成される。この冷却水流路は、燃料ガス流路８ａの裏面側の溝形状８ｂと、酸化剤ガス流路９ａの裏面側の溝形状９ｂとが重なり合うことにより、短手方向（水平方向）に冷却媒体の流れを許容して冷却水供給口７ａと冷却水排出口７ｂとを連通している。
【先行技術文献】
【特許文献】
【００１０】
【特許文献１】特開２００７−１４１５５２号公報
【発明の概要】
【発明が解決しようとする課題】
【００１１】
ところで、燃料電池では、冷却水の流れ方向が、燃料ガスの流れ方向及び酸化剤ガスの流れ方向と略同一方向に設定される場合がある。例えば、単位セル１において、冷却水排出口７ｂを冷却水供給口７ａとし、前記単位セル１の上部側に左右一対の冷却水供給口７ａ、７ａを設ける一方、該単位セル１の長手方向下端縁部には、左右一対の冷却水排出口７ｂ、７ｂを設ける構成が考えられる。
【００１２】
各溝形状８ｂ、９ｂは、波形状に蛇行するため、これらの間には、水平方向及び鉛直方向に沿って冷却水を流通可能な流路が形成されるからである。これにより、左右一対の冷却水供給口７ａ、７ａから互いに対向して短手方向内方に冷却水が導入された後、前記冷却水は、鉛直下方向に沿って移動し、さらに短手方向外方に向かって移動することにより、一対の冷却水排出口７ｂ、７ｂから排出される、所謂、Ｈフローを構成することができる。
【００１３】
しかしながら、冷却水流路において、冷却水は、溝形状８ｂ、９ｂが互いに重なり合う部位で合流した後、流れ方向が変更され易い。このため、冷却水は、二点鎖線の矢印に示すように、長手方向に対して斜め内方に傾斜して流れてしまう。しかも、長手方向の中央部ＣＰ付近では、左右からの流れが衝突して冷却水の跳ね返りが惹起され易い。これにより、特に冷却水流路の下端部中央には、冷却水が供給され難い高温部位ＨＳが発生してしまい、発電面内の温度分布にばらつきが生じるという問題がある。
【００１４】
本発明はこの種の問題を解決するものであり、簡単な構成で、発電面内全域にわたって温度分布を均一化することができ、発電性能の向上を図ることが可能な燃料電池を提供することを目的とする。
【課題を解決するための手段】
【００１５】
本発明は、電解質の両側に一対の電極が設けられる電解質・電極構造体と長方形状の金属セパレータとが積層され、前記金属セパレータの長手方向一端部に使用前の燃料ガス及び酸化剤ガスを積層方向に流通させる燃料ガス供給連通孔及び酸化剤ガス供給連通孔が形成される一方、前記金属セパレータの長手方向他端部に使用後の前記燃料ガス及び前記酸化剤ガスを積層方向に流通させる燃料ガス排出連通孔及び酸化剤ガス排出連通孔が形成され、さらに前記金属セパレータの短手方向両端部には、前記燃料ガス供給連通孔及び前記酸化剤ガス供給連通孔に近接して使用前の冷却媒体を積層方向に流通させる一対の冷却媒体供給連通孔と、前記燃料ガス排出連通孔及び前記酸化剤ガス排出連通孔に近接して使用後の前記冷却媒体を積層方向に流通させる一対の冷却媒体排出連通孔とが形成される燃料電池に関するものである。
【００１６】
この燃料電池は、一方の電極に向かう金属セパレータの面には、燃料ガス供給連通孔及び燃料ガス排出連通孔を連通して長手方向に延在する波形状の燃料ガス流路が設けられ、他方の電極に向かう前記金属セパレータの面には、酸化剤ガス供給連通孔及び酸化剤ガス排出連通孔を連通して前記長手方向に延在する酸化剤ガス流路が設けられている。
【００１７】
さらに、互いに隣接する金属セパレータ間には、燃料ガス流路の裏面側に形成された溝形状部と、酸化剤ガス流路の裏面側に形成された溝形状部とにより、冷却媒体を流通させる冷却媒体流路が形成されている。
【００１８】
そして、冷却媒体流路は、互いに対向する溝形状部の重なり部位を、長手方向に対して内方に傾斜する冷却媒体の流れに沿って連結した冷却媒体傾斜流路群を有し、前記冷却媒体傾斜流路群は、下流が前記冷却媒体流路の下流端部中央に連なり且つ上流が冷却媒体供給連通孔に連なる冷却媒体傾斜流路を有している。
【００１９】
また、冷却媒体流路は、一対の冷却媒体供給連通孔から互いに短手方向の内方に冷却媒体を導入した後、長手方向に流通させ、さらに互いに前記短手方向の外方に前記冷却媒体を導出して一対の冷却媒体排出連通孔に排出する流れ形状を有すことが好ましい。
【００２０】
さらに、溝形状部は、波形状を有するとともに、前記波形状の一方の傾斜方向は、冷却媒体傾斜流路の流れ方向に一致又は平行することが好ましい。
【発明の効果】
【００２１】
本発明によれば、冷却媒体傾斜流路は、下流が冷却媒体流路の下流端部中央に連なる一方、上流が冷却媒体供給連通孔に連なって、長手方向に対して内方に傾斜している。このため、冷却媒体供給連通孔から冷却媒体流路に供給された冷却媒体は、冷却媒体傾斜流路に沿って前記冷却媒体流路の下流端部中央に良好且つ十分に供給される。
【００２２】
従って、特に、発電面温度が高くなり易い冷却媒体流路の下流端部中央を確実に冷却することが可能になる。これにより、簡単な構成で、発電面内全域にわたって温度分布を均一化することができ、発電性能の向上を容易に図ることが可能になる。
【図面の簡単な説明】
【００２３】
【図１】本発明の実施形態に係る燃料電池の要部分解斜視説明図である。
【図２】前記燃料電池の、図１中、ＩＩ−ＩＩ線断面説明図である。
【図３】前記燃料電池を構成する第２金属セパレータの一方の正面の説明図である。
【図４】前記第２金属セパレータの他方の正面の説明図である。
【図５】前記燃料電池を構成する冷却媒体流路の要部斜視説明図である。
【図６】前記冷却媒体流路の正面説明図である。
【図７】特許文献１に開示されている燃料電池スタックの要部分解斜視説明図である。
【発明を実施するための形態】
【００２４】
図１及び図２に示すように、本発明の実施形態に係る燃料電池１０は、矢印Ａ方向に複数積層されて燃料電池スタック１１を構成する。燃料電池１０は、電解質膜・電極構造体１２と、前記電解質膜・電極構造体１２を挟持する第１金属セパレータ１４及び第２金属セパレータ１６とを備える。
【００２５】
第１金属セパレータ１４及び第２金属セパレータ１６は、例えば、鋼板、ステンレス鋼板、アルミニウム板、めっき処理鋼板、あるいはその金属表面に防食用の表面処理を施した金属板により構成される。第１金属セパレータ１４及び第２金属セパレータ１６は、平面が矩形状を有するとともに、金属製薄板を波形状にプレス加工することにより、断面凹凸形状に成形される。
【００２６】
図１に示すように、第１金属セパレータ１４及び第２金属セパレータ１６は、縦長形状を有するとともに、長辺が重力方向（矢印Ｃ方向）に向かい且つ短辺が水平方向（矢印Ｂ方向）に向かう（水平方向の積層）ように構成される。なお、長辺が水平方向に向かい且つ短辺が重力方向に向かうように構成してもよく、また、セパレータ面が水平方向に向かう（鉛直方向の積層）ように構成してもよい。
【００２７】
燃料電池１０の長辺方向（矢印Ｃ方向）の上端両角部近傍には、矢印Ａ方向に互いに連通して、酸化剤ガス、例えば、酸素含有ガスを供給するための酸化剤ガス供給連通孔１８ａと、燃料ガス、例えば、水素含有ガスを供給するための燃料ガス供給連通孔２０ａとが設けられる。
【００２８】
燃料電池１０の長辺方向の下端両角部近傍には、矢印Ａ方向に互いに連通して、燃料ガスを排出するための燃料ガス排出連通孔２０ｂと、酸化剤ガスを排出するための酸化剤ガス排出連通孔１８ｂとが設けられる。
【００２９】
燃料電池１０の短辺方向（矢印Ｂ方向）の両端縁部上方には、矢印Ａ方向に互いに連通して、冷却媒体を供給するための２つの冷却媒体供給連通孔２２ａが設けられるとともに、前記燃料電池１０の短辺方向の両端縁部下方には、前記冷却媒体を排出するための２つの冷却媒体排出連通孔２２ｂが設けられる。
【００３０】
電解質膜・電極構造体１２は、例えば、パーフルオロスルホン酸の薄膜に水が含浸された固体高分子電解質膜２４と、前記固体高分子電解質膜２４を挟持するカソード側電極２６及びアノード側電極２８とを備える。
【００３１】
カソード側電極２６及びアノード側電極２８は、カーボンペーパ等からなるガス拡散層（図示せず）と、白金合金が表面に担持された多孔質カーボン粒子が前記ガス拡散層の表面に一様に塗布されて形成される電極触媒層（図示せず）とを有する。電極触媒層は、固体高分子電解質膜２４の両面に形成される。
【００３２】
第１金属セパレータ１４の電解質膜・電極構造体１２に向かう面１４ａには、酸化剤ガス供給連通孔１８ａと酸化剤ガス排出連通孔１８ｂとを連通する酸化剤ガス流路３０が形成される。酸化剤ガス流路３０は、矢印Ｃ方向に延在する複数本の波状凸部３０ａ間に形成されるとともに、前記酸化剤ガス流路３０の入口近傍及び出口近傍には、それぞれ複数のエンボスを有する入口バッファ部３２ａ及び出口バッファ部３２ｂが設けられる。
【００３３】
図３に示すように、第２金属セパレータ１６の電解質膜・電極構造体１２に向かう面１６ａには、燃料ガス供給連通孔２０ａと燃料ガス排出連通孔２０ｂとを連通する燃料ガス流路３４が形成される。燃料ガス流路３４は、矢印Ｃ方向に延在する複数本の波状凸部３４ａ間に形成されるとともに、前記燃料ガス流路３４の入口近傍及び出口近傍には、それぞれ複数のエンボスを有する入口バッファ部３６ａ及び出口バッファ部３６ｂが設けられる。
【００３４】
第２金属セパレータ１６の面１６ｂと第１金属セパレータ１４の面１４ｂとの間には、冷却媒体供給連通孔２２ａ、２２ａと冷却媒体排出連通孔２２ｂ、２２ｂとに連通する冷却媒体流路３８が形成される（図１及び図４参照）。この冷却媒体流路３８は、電解質膜・電極構造体１２の電極範囲を周回して冷却媒体を流通させる。
【００３５】
図１及び図５に示すように、冷却媒体流路３８は、酸化剤ガス流路３０を構成する波状凸部３０ａの裏面形状である溝形状部３０ｂと、燃料ガス流路３４を構成する波状凸部３４ａの裏面形状である溝形状部３４ｂとを、重ね合わせることにより形成される。冷却媒体流路３８の入口近傍及び出口近傍には、それぞれ複数のエンボスを有する入口バッファ部４０ａ及び出口バッファ部４０ｂが設けられる（図４参照）。
【００３６】
第１金属セパレータ１４の面１４ａ、１４ｂには、この第１金属セパレータ１４の外周端縁部を周回して第１シール部材４２が一体成形される。第２金属セパレータ１６の面１６ａ、１６ｂには、この第２金属セパレータ１６の外周端縁部を周回して第２シール部材４４が一体成形される。第１シール部材４２及び第２シール部材４４としては、例えば、ＥＰＤＭ、ＮＢＲ、フッ素ゴム、シリコーンゴム、フロロシリコーンゴム、ブチルゴム、天然ゴム、スチレンゴム、クロロプレーン又はアクリルゴム等のシール材、クッション材、あるいはパッキン材が用いられる。
【００３７】
図１に示すように、第１金属セパレータ１４の面１４ａには、第１シール部材４２を切り欠いて酸化剤ガス供給連通孔１８ａと酸化剤ガス流路３０とを連通する複数の連結通路４６ａが形成される。面１４ａには、第１シール部材４２を切り欠いて酸化剤ガス排出連通孔１８ｂと酸化剤ガス流路３０とを連通する複数の連結通路４６ｂが形成される。
【００３８】
図３に示すように、第２金属セパレータ１６の面１６ａには、第２シール部材４４を切り欠いて燃料ガス供給連通孔２０ａと燃料ガス流路３４とを連通する複数の連結通路５０ａが形成される。面１６ａには、第２シール部材４４を切り欠いて燃料ガス排出連通孔２０ｂと燃料ガス流路３４とを連通する複数の連結通路５０ｂが形成される。
【００３９】
図４に示すように、第２金属セパレータ１６の面１６ｂには、第２シール部材４４を切り欠いて一対の冷却媒体供給連通孔２２ａ、２２ａと冷却媒体流路３８とを連通する複数の連結通路５２ａが形成される。面１６ｂには、第２シール部材４４を切り欠いて一対の冷却媒体排出連通孔２２ｂ、２２ｂと冷却媒体流路３８とを連通する複数の連結通路５２ｂが形成される。
【００４０】
冷却媒体流路３８は、図４及び図６に示すように、互いに対向する溝形状部３０ｂ、３４ｂの重なり部位５４を、冷却媒体の流れに沿って連結した冷却媒体傾斜流路群５６を有する。冷却媒体傾斜流路群５６は、長辺方向（矢印Ｃ方向）に対して、内方に傾斜して延在する。
【００４１】
冷却媒体傾斜流路群５６は、図４に示すように、下流が冷却媒体流路３８の下流端部中央５８に連なり且つ上流が冷却媒体供給連通孔２２ａに連結通路６０を介して連なる冷却媒体傾斜流路５６ａを有する。各連結通路６０は、各冷却媒体供給連通孔２２ａの下端縁部に、連結通路５２ａから下方に離間して形成される。
【００４２】
このように構成される燃料電池１０の動作について、以下に説明する。
【００４３】
先ず、図１に示すように、酸化剤ガス供給連通孔１８ａには、酸素含有ガス等の酸化剤ガスが供給されるとともに、燃料ガス供給連通孔２０ａには、水素含有ガス等の燃料ガスが供給される。さらに、一対の冷却媒体供給連通孔２２ａには、純水やエチレングリコール、オイル等の冷却媒体が供給される。
【００４４】
このため、酸化剤ガスは、酸化剤ガス供給連通孔１８ａから第１金属セパレータ１４の酸化剤ガス流路３０に導入される。酸化剤ガスは、酸化剤ガス流路３０に沿って矢印Ｃ方向（重力方向）に移動し、電解質膜・電極構造体１２のカソード側電極２６に供給される。
【００４５】
一方、燃料ガスは、燃料ガス供給連通孔２０ａから第２金属セパレータ１６の燃料ガス流路３４に供給される。燃料ガスは、図３に示すように、燃料ガス流路３４に沿って重力方向（矢印Ｃ方向）に移動し、電解質膜・電極構造体１２のアノード側電極２８に供給される（図１及び図２参照）。
【００４６】
従って、電解質膜・電極構造体１２では、カソード側電極２６に供給される酸化剤ガスと、アノード側電極２８に供給される燃料ガスとが、電極触媒層内で電気化学反応により消費されて発電が行われる。
【００４７】
次いで、電解質膜・電極構造体１２のカソード側電極２６に供給されて消費された酸化剤ガスは、酸化剤ガス排出連通孔１８ｂに沿って矢印Ａ方向に排出される。一方、電解質膜・電極構造体１２のアノード側電極２８に供給されて消費された燃料ガスは、燃料ガス排出連通孔２０ｂに沿って矢印Ａ方向に排出される。
【００４８】
また、一対の冷却媒体供給連通孔２２ａに供給された冷却媒体は、図１に示すように、第１金属セパレータ１４及び第２金属セパレータ１６間の冷却媒体流路３８に導入される。冷却媒体は、図４に示すように、一旦矢印Ｂ方向（水平方向）内方に沿って流動した後、矢印Ｃ方向（重力方向）に移動して電解質膜・電極構造体１２を冷却する。この冷却媒体は、矢印Ｂ方向外方に移動した後、一対の冷却媒体排出連通孔２２ｂに排出される。
【００４９】
この場合、冷却媒体流路３８は、波状凸部３０ａの裏面形状である溝形状部３０ｂと、波状凸部３４ａの裏面形状である溝形状部３４ｂとを重ね合わせることにより形成されている。このため、冷却媒体流路３８は、溝形状部３０ｂ、３４ｂの重なり部位５４を、長辺方向に対して内方に傾斜する冷却媒体の流れに沿って連結した冷却媒体傾斜流路群５６を有している。
【００５０】
従って、図４に示すように、左右一対の冷却媒体供給連通孔２２ａ、２２ａから冷却媒体流路３８に導入された冷却媒体は、矢印Ｃ方向に流通する部分の他、冷却媒体傾斜流路群５６に沿って長手方向に対して内方に傾斜して流通する部分を有している。
【００５１】
そこで、本実施形態では、冷却媒体供給連通孔２２ａの下端縁部に連結通路６０を形成し、上流が前記連結通路６０を介して冷却媒体供給連通孔２２ａに連なる一方、下流が冷却媒体流路３８の下流端部中央５８に連なる冷却媒体傾斜流路５６ａを設けている。従って、特に、酸化剤ガス流路３０及び燃料ガス流路３４の下流側に位置し、発電面温度が高くなり易い冷却媒体流路３８の下流端部中央５８を、確実に冷却することが可能になる。しかも、左右の冷却媒体傾斜流路５６ａを流れる冷却媒体は、下流端部中央５８の近傍で衝突して跳ね返るため、前記下流端部中央５８にも、前記冷却媒体を供給することができる。
【００５２】
これにより、簡単な構成で、発電内全域にわたって温度分布を均一化することができ、燃料電池１０の発電性能の向上を図ることが可能になるという効果が得られる。
【００５３】
なお、本実施形態では、冷却媒体供給連通孔２２ａに連通する連結通路６０を複数の連結通路５２ａから下方に離間して設けているが、これに限定されるものではない。例えば、連結通路５２ａを冷却媒体供給連通孔２２ａの下端縁部まで所定間隔ずつ離間して設けることにより、前記連結通路６０に替えて使用することも可能である。
【符号の説明】
【００５４】
１０…燃料電池                          １１…燃料電池スタック
１２…電解質膜・電極構造体              １４、１６…金属セパレータ
１８ａ…酸化剤ガス供給連通孔            １８ｂ…酸化剤ガス排出連通孔
２０ａ…燃料ガス供給連通孔              ２０ｂ…燃料ガス排出連通孔
２２ａ…冷却媒体供給連通孔              ２２ｂ…冷却媒体排出連通孔
２４…固体高分子電解質膜                ２６…カソード側電極
２８…アノード側電極                    ３０…酸化剤ガス流路
３０ａ、３４ａ…波状凸部                ３０ｂ、３４ｂ…溝形状部
３４…燃料ガス流路                      ３８…冷却媒体流路
４２、４４…シール部材                  ５２ａ、５２ｂ、６０…連結通路
５４…重なり部位                        ５６…冷却媒体傾斜流路群
５６ａ…冷却媒体傾斜流路                ５８…下流端部中央
【図１】
2011113725.tif 000003
【図２】
2011113725.tif 000004
【図３】
2011113725.tif 000005
【図４】
2011113725.tif 000006
【図５】
2011113725.tif 000007
【図６】
2011113725.tif 000008
【図７】
2011113725.tif 000009